【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
第１の接続位置（８０８）及び第２の接続位置（８１０）を有する第１の電子エミッタ（８０３）、及び
第３の接続位置（８１４）及び第４の接続位置（８１６）を有する第２の電子エミッタ（８１２）
を含む、Ｘ線管の真空エンベロープ内の陰極ヘッド（８０２）と、
前記第１の電子エミッタ（８０３）の前記第１の接続位置（８０８）に電気的に連結された第１の陰極コネクタ（８１８）、
前記第１の電子エミッタ（８０３）の前記第２の接続位置（８１０）及び前記第２の電子エミッタ（８１２）の前記第３の接続位置（８１４）に電気的に連結された第２の陰極コネクタ（８２０）、及び
前記第２の電子エミッタ（８１２）の前記第４の接続位置（８１６）に電気的に連結された第３の陰極コネクタ（８２２）
を含み、前記第１、第２及び第３の陰極コネクタ（８１８、８２０、８２２）が前記真空エンベロープの内部から前記真空エンベロープの外部に延びる、前記Ｘ線管のレセプタクル（８０４）と、
前記レセプタクル（８０４）に取り外し可能に連結され、前記レセプタクル（８０４）を第１の発電機コネクタ（８５６）及び第２の発電機コネクタ（８５８）に電気的に連結するように構成された導電性カプラ（９０２、９１２、９２２、９３２、９４２、９５２、９６２）と
を含む、Ｘ線イメージングシステム。
【請求項２】
前記陰極ヘッド（８０２）は、第７の接続位置（８６８）を有する集束構造（８６２）をさらに含み、
前記レセプタクル（８０４）は、前記集束構造（８６２）の前記第７の接続位置（８６８）に電気的に連結された第５の陰極コネクタ（８７２）をさらに含み、前記第４の陰極コネクタ（８７０）は、前記真空エンベロープの内部から前記真空エンベロープの外部に延びる、請求項１に記載のＸ線イメージングシステム。
【請求項３】
前記導電性カプラ（９４２、９５２）は、前記レセプタクル（８０４）の前記第５の陰極コネクタ（８７２）を第４の発電機コネクタ（８７６）に電気的に連結するようにさらに構成された第４のカプラ（９４４）を含む、請求項２に記載のＸ線イメージングシステム。
【請求項４】
前記陰極ヘッド（８０２）は、第５の接続位置（８６４）及び第６の接続位置（８６６）を有する第３の電子エミッタ（８６０）をさらに含み、
前記レセプタクル（８０４）は、前記第３の電子エミッタ（８６０）の前記第６の接続位置（８６６）に電気的に連結された第４の陰極コネクタ（８７０）と、前記第５の接続位置（８６４）に電気的に連結された第３の陰極コネクタ（８２２）とをさらに含み、前記第４の陰極コネクタ（８７０）は、前記真空エンベロープの内部から前記真空エンベロープの外部に延び、
前記導電性カプラ（９３２、９４２、９５２、９６２）は、前記レセプタクル（８０４）の前記第４の陰極コネクタ（８７０）を第３の発電機コネクタ（８７４）に電気的に連結するようにさらに構成されたカプラ（９３７）を含む、請求項１から３のいずれか１項に記載のＸ線イメージングシステム。
【請求項５】
前記第１の電子エミッタ（８０３）及び前記第２の電子エミッタ（８１２）は、並列構成で電子を同時に生成するように構成され、前記導電性カプラ（９０２）は、
前記第２の陰極コネクタ（８２０）に連結されて、前記第１の発電機コネクタ（８５６）に連結されるように構成された第１のカプラ（９０４）と、
前記第１の陰極コネクタ（８１８）に連結されて、前記第２の発電機コネクタ（８５８）に連結されるように構成された第２のカプラ（９０６）と、
前記第３の陰極コネクタ（８２２）に連結されて、前記第２の発電機コネクタ（８５８）に連結されるように構成された第３のカプラ（９０８）と
を含む、請求項１から４のいずれか１項に記載のＸ線イメージングシステム。
【請求項６】
前記第１の電子エミッタ（８０３）及び前記第２の電子エミッタ（８１２）は、直列構成で電子を同時に生成するように構成され、前記導電性カプラ（９１２）は、
前記第１の陰極コネクタ（８１８）に連結されて、前記第１の発電機コネクタ（８５６）に連結されるように構成された第１のカプラ（９１４）と、
第３の陰極コネクタ（８２２）に連結されて、前記第２の発電機コネクタ（８５８）に連結されるように構成された第２のカプラ（９１６）と
を含む、請求項１から４のいずれか１項に記載のＸ線イメージングシステム。
【請求項７】
前記第１の電子エミッタ（８０３）は、単一フィラメント構成で電子を生成するように構成され、前記導電性カプラ（９２２）は、
前記第１の陰極コネクタ（８１８）に連結されて、前記第１の発電機コネクタ（８５６）に連結されるように構成された第１のカプラ（９２４）と、
第２の陰極コネクタ（８２０）に連結されて、前記第２の発電機コネクタ（８５８）に連結されるように構成された第２のカプラ（９２６）と、
第３の陰極コネクタ（８２２）に連結されて、前記第２の発電機コネクタ（８５８）に連結されるように構成された第３のカプラ（９２８）と
を含む、請求項１、２及び４のいずれか１項に記載のＸ線イメージングシステム。
【請求項８】
前記第１の電子エミッタ（８０３）及び前記第２の電子エミッタ（８１２）は、異なる導電性カプラ（９０２、９１２、９２２）を使用することによって、並列、直列または単一エミッタで動作するように構成され、前記導電性カプラ（９０２、９１２、９２２）は、
前記第２の陰極コネクタ（８２０）に連結されて、前記第１の発電機コネクタ（８５６）に連結されるように構成された第１の並列構成カプラ（９０４）と、
第１の陰極コネクタ（８１８）に連結されて、前記第２の発電機コネクタ（８５８）に連結されるように構成された第２の並列構成カプラ（９０６）と、
第３の陰極コネクタ（８２２）に連結されて、前記第２の発電機コネクタ（８５８）に連結されるように構成された第３の並列構成カプラ（９０８）と
によって、前記第１の電子エミッタ（８０３）及び前記第２の電子エミッタ（８１２）を並列で動作させ、
前記第１の陰極コネクタ（８１８）に連結されて、前記第１の発電機コネクタ（８５６）に連結されるように構成された第１の直列構成カプラ（９１４）と、
第３の陰極コネクタ（８２２）に連結されて、前記第２の発電機コネクタ（８５８）に連結されるように構成された第２の直列構成カプラ（９１６）と
によって、前記第１の電子エミッタ（８０３）及び前記第２の電子エミッタ（８１２）を直列で動作させ、及び
前記第１の陰極コネクタ（８１８）に連結されて、前記第１の発電機コネクタ（８５６）に連結されるように構成された第１の単一エミッタ構成カプラ（９２４）と、
第２の陰極コネクタ（８２０）に連結されて、前記第２の発電機コネクタ（８５８）に連結されるように構成された第２の単一エミッタ構成カプラ（９２６）と、
第３の陰極コネクタ（８２２）に連結されて、前記第２の発電機コネクタ（８５８）に連結されるように構成された第３の単一エミッタ構成カプラ（９２８）と
によって、前記第１の電子エミッタ（８０３）のみを動作させる
ように構成される、請求項１から６のいずれか１項に記載のＸ線イメージングシステム。
【請求項９】
前記導電性カプラ（９３２、９６２）は、前記第５の陰極コネクタ（８７２）に連結されて、前記第２の発電機コネクタ（８５８）に連結されるように構成された第５のカプラ（９３９）を含む、請求項５または７に記載のＸ線イメージングシステム。
【請求項１０】
発電機（８５４）をさらに備え、前記発電機（８５４）は、
第１の電源に電気的に連結された前記第１の発電機コネクタ（８５６）と、
第２の電源に電気的に連結された前記第２の発電機コネクタ（８５８）と
を含む、請求項１から９のいずれか１項に記載のＸ線イメージングシステム。
【請求項１１】
発電機（８５４）をさらに備え、前記発電機（８５４）は、
電気共通部に電気的に連結された前記第１の発電機コネクタ（８５６）と、
電源に電気的に連結された前記第２の発電機コネクタ（８５８）と
を含む、請求項１から９のいずれか１項に記載のＸ線イメージングシステム。
【請求項１２】
発電機（８５４）をさらに備え、前記発電機（８５４）は、
第１の電源に電気的に連結された前記第１の発電機コネクタ（８５６）と、
電気共通部に電気的に連結された前記第２の発電機コネクタ（８５８）と、
第２の電源に電気的に連結された前記第３の発電機コネクタ（８７４）と
を含む、請求項４から１０のいずれか１項に記載のＸ線イメージングシステム。
【請求項１３】
発電機（８５４）をさらに備え、前記発電機（８５４）は、
第１の電源に電気的に連結された前記第１の発電機コネクタ（８５６）と、
電気共通部に電気的に連結された前記第２の発電機コネクタ（８５８）と、
第２の電源に電気的に連結された前記第３の発電機コネクタ（８７４）と、
第３の電源に電気的に連結された前記第４の発電機コネクタ（８７６）と
を含む、請求項４から１０のいずれか１項に記載のＸ線イメージングシステム。
【請求項１４】
前記第１の電子エミッタ（８０３）及び前記第２の電子エミッタ（８１２）は、互いに離間して個別のフィラメントスロット内に少なくとも部分的に配置された個別の単一フィラメントを含む、請求項１から１３のいずれか１項に記載のＸ線イメージングシステム。
【請求項１５】
前記第１の電子エミッタ（８０３）及び前記第２の電子エミッタ（８１２）は、実質的に同じ大きさである、請求項１から１４のいずれか１項に記載のＸ線イメージングシステム。
【請求項１６】
前記第３の電子エミッタ（８６０）は、前記第１の電子エミッタ（８０３）及び前記第２の電子エミッタ（８１２）の対応する寸法よりも小さい少なくとも１つの寸法を含む、請求項１から１５のいずれか１項に記載のＸ線イメージングシステム。
【請求項１７】
導電性カプラ（９０２、９１２、９２２、９３２、９４２、９５２、９６２）はケーブルである、請求項１から１６のいずれか１項に記載のＸ線イメージングシステム。
【請求項１８】
導電性カプラ（９０２、９１２、９２２、９３２、９４２、９５２、９６２）は、少なくとも１キロボルト（ｋＶ）の高電圧差を提供する、請求項１から１７のいずれか１項に記載のＸ線イメージングシステム。
【請求項１９】
発電機コネクタの数は、陰極コネクタの数よりも少ない、請求項１に記載のＸ線イメージングシステム。